(57)【特許請求の範囲】
【請求項１】
図柄を構成するように配置され面実装された複数の発光ダイオード、および、前記複数の発光ダイオードを電気的に接続する透明電極パターンを表面に有する透明発光パネルと、
前記透明発光パネルの裏面に重ね合わされ、前記透明発光パネルを透過する入射光を電気エネルギーに変換するソーラーパネルと、
充放電可能な蓄電池と、
前記ソーラーパネルと前記蓄電池との接続と、前記蓄電池と前記透明発光パネルとの接続とを切り換える制御部とを備え、
前記ソーラーパネルは、その表面に形成された図柄であって、前記複数の発光ダイオードが構成する図柄に相当する図柄を有し、
前記ソーラーパネルは、その表面に形成された保護膜を有し、
前記保護膜は、不均一な膜厚を有することにより前記図柄を形成し、
前記図柄に対応する部分における前記保護膜の膜厚は、前記図柄に対応しない部分における前記保護膜の膜厚と異なり、
前記図柄の色は、前記図柄に対応する部分における前記保護膜の膜厚に依存する
ソーラー一体型表示パネルシステム。
【請求項２】
図柄を構成するように配置され面実装された複数の発光ダイオードと、前記複数の発光ダイオードを電気的に接続する透明電極パターンとを表面に有する透明発光パネルと、
前記透明発光パネルの裏面に重ね合わされ、前記透明発光パネルを透過する入射光を電気エネルギーに変換するソーラーパネルと
を備え、
前記ソーラーパネルは、その表面に形成された図柄であって、前記複数の発光ダイオードが構成する図柄に相当する図柄を有し、
前記ソーラーパネルは、その表面に形成された保護膜を有し、
前記保護膜は、不均一な膜厚を有することにより前記図柄を形成し、
前記図柄に対応する部分における前記保護膜の膜厚は、前記図柄に対応しない部分における前記保護膜の膜厚と異なり、
前記図柄の色は、前記図柄に対応する部分における前記保護膜の膜厚に依存する
ソーラー一体型表示パネル。
【請求項３】
図柄を構成するように配置され面実装された複数の発光ダイオード、および、前記複数の発光ダイオードを電気的に接続する透明電極パターンを表面に有する透明発光パネルと、前記透明発光パネルの裏面に重ね合わされ、前記透明発光パネルを透過する入射光を電気エネルギーに変換するソーラーパネルとを有するソーラー一体型表示パネルシステムの製造方法であって、
図柄を示す線画データを作成するステップと、
前記線画データの示す図柄に沿って、前記透明発光パネル上の発光ダイオード配置位置と、前記発光ダイオードを接続するための透明電極パターン配置位置とを決定するステップと、
前記線画データの示す図柄に沿って、当該図柄の色に対応する膜厚の保護膜パターンを前記ソーラーパネル上に形成するステップと
を有し、
前記保護膜パターンと前記図柄に対応しない部分における保護膜とは、不均一な膜厚を有することにより前記図柄を形成し、
前記図柄に対応する部分における前記保護膜パターンの膜厚は、前記図柄に対応しない部分における前記保護膜の膜厚と異なり、
前記図柄の色は、前記図柄に対応する部分における前記保護膜パターンの膜厚に依存する
ソーラー一体型表示パネルシステムの製造方法。
【発明の詳細な説明】
【技術分野】
【０００１】
本発明は、広告板、案内表示版、看板などのサインパネルであって、特にソーラー一体型表示パネルシステム、ソーラー一体型表示パネルおよびその製造方法に関する。
【背景技術】
【０００２】
特許文献１には、表面側と裏面側との両方向に均一な輝度の面発光させる面発光体を有し、任意の図柄が印刷された印刷フィルムが太陽電池と面発光体との間に挟まれることにより、印刷フィルムに印刷内容がそのまま表現され、昼夜を通して広告板や表示板として機能させる光源一体型太陽電池モジュールが開示されている。
【０００３】
特許文献２には、電源に、ソーラーモジュールを利用し、発電、その電力を充放電式電池に逐電、必要に応じ、ＬＥＤライトを要した内照式看板文字を表示するソーラー充放電式ＬＥＤ内照式看板を開示している。
【０００４】
特許文献３には、昼間に太陽電池により発電してその電気で蓄電池を充電し、夜間に蓄電池の放電により発光ダイオードなどの発光手段を発光させる自発光装置を開示している。これにより、電池交換が不要で、維持費の低減を図っている。
【先行技術文献】
【特許文献】
【０００５】
【特許文献１】特開２００６−６６６１９号公報
【特許文献２】特開２０１０−２０１５２号公報
【特許文献３】特開２００５−７００９５号公報
【発明の概要】
【発明が解決しようとする課題】
【０００６】
しかしながら、特許文献１の面発光体で、表面側と裏面側との両方向に均一な輝度の面発光させるため、図柄表示に必要以上の発光をしており、図柄に関わりなく発光光量を無駄にしているという課題がある。
【０００７】
特許文献２は、ＬＥＤライトにより看板を照射する反射型であり、発光光量の一部は、看板を外れたり、透過したりするため、看板自体の明るさ又は輝度に対してＬＥＤの発光光量の一部しか寄与していない。このように、ＬＥＤの発光光量に無駄が発生するという課題がある。あるいは、看板に一定以上の明るさ又は輝度を確保するには反射による無駄な光量に相当する電力も供給する必要があり、看板の明るさ又は輝度に対する消費電力が大きいという課題がある。
【０００８】
特許文献３では、看板の本体であるアクリル板の端に備えたＬＥＤから、アクリル板を照射する反射型であり、特許文献２と同様の課題、つまり、発光光量に無駄が発生、あるいは、消費電力が大きいという課題がある。
【０００９】
本発明は、パネルの明るさを向上させて、かつ、消費電力を低減させるソーラー一体型表示パネルシステムおよびその製造方法を提供することを目的とする。
【課題を解決するための手段】
【００１０】
上記課題を解決するため本発明のソーラー一体型表示パネルシステムは、図柄に沿って面実装された複数の発光ダイオード、および、前記複数の発光ダイオードを電気的に接続する透明電極パターンを表面に有する透明発光パネルと、前記透明発光パネルの裏面に重ね合わされ、前記透明発光パネルを透過する入射光を電気エネルギーに変換するソーラーパネルと、充放電可能な蓄電池と、前記ソーラーパネルと前記蓄電池との接続と、前記蓄電池と前記透明発光パネルとの接続とを切り換える制御部とを備える。
【００１１】
この構成によれば、パネルの輝度（明るさ）を向上させて、かつ、消費電力を低減させることができる。
【００１２】
具体的には第１に、各発光ダイオードは面実装されているので、透明発光パネルの表示方向と各発光ダイオードの発光方向とがほぼ一致し、透明発光パネルを見る人の目には、発光ダイオードからの光は間接的ではなく直接目に届く。つまり、パネル自体の明るさ又は輝度に対してＬＥＤの発光光量のほぼ全部が寄与する。これにより、従来の照射式などの間接照明と比べて、発光光量の無駄を大きく低減することができ、より少ない消費電力で高い輝度を確保することができる。
【００１３】
第２に、複数の発光ダイオードが図柄に沿って面実装されるので、従来の面発光体と比べて、面全体ではなく、図柄の部分のみが発光するので、無駄な発光光量を大きく低減することができる。
【００１４】
ここで、前記ソーラーパネルは、さらに、その表面に形成された図柄であって、前記複数の発光ダイオードが沿う図柄に相当する図柄を有する構成としてもよい。
【００１５】
この構成によれば、透明発光パネルを発光させない期間（蓄電池を充電している期間）で、ソーラーパネル自体に形成された図柄を表示し、一方、透明発光パネルを発光している期間では、複数の発光ダイオードの発光による図柄を表示することができる。これにより、昼も夜も同じ図柄を表示させることができ、昼夜を問わず広告、看板、案内板等のサインパネルとしての訴求力を向上させることができる。しかも、昼間に充電した電力を夜間に利用可能なので、維持コストを低減することができる。
【００１６】
ここで、前記ソーラーパネルは、その表面に形成された保護膜を有し、前記保護膜は、不均一な膜厚を有することにより前記図柄を形成し、前記図柄に対応する部分における前記保護膜の膜厚は、前記図柄に対応しない部分における前記保護膜の膜厚と異なり、前記図柄に対応する部分における前記保護膜は、前記図柄の色に対応する光を反射する構成としてもよい。
【００１７】
この構成によれば、図柄の形状および色は、図柄の色に対応する膜厚の保護膜により形成することができる。すなわち、図柄は、保護膜の一部分として、ソーラーパネルの製造プロセスにより任意の形状に形成できるので、極めて高精細にすることができる。かつ、図柄に対応する保護膜により反射される色は、その膜厚に依存するので、ソーラーパネルパネルの製造プロセスにより色とりどりの図柄を実現することができる。しかも、図柄に対応する保護膜は、反射する色以外の光は透過するので、図柄の部分は入射光を完全には遮光しない。これにより、図柄によるソーラーパネルの発電効率の低下を最小限に押さえることができる。
【００１８】
ここで、前記図柄は、第１の色を表す第１図柄部分と、前記第１の色と異なる第２の色を表す第２図柄部分とを含み、前記第１の図柄部分は、前記保護膜のうち、前記第１の色に対応する第１の膜厚を有する部分により形成され、前記第２の図柄部分は、前記保護膜のうち、前記第２の色に対応する第２の膜厚を有する部分により形成されるようにしてもよい。
【００１９】
この構成によれば、保護膜のうち、膜厚が異なる部分を複数も受けることにより、ソーラーパネル表面にカラー図柄を精度良く実現することができる。
【００２０】
また、本発明のソーラー一体型表示パネルは、図柄に沿って面実装された複数の発光ダイオードと、前記複数の発光ダイオードを電気的に接続する透明電極パターンとを表面に有する透明発光パネルと、前記透明発光パネルの裏面に重ね合わされ、前記透明発光パネルを透過する入射光を電気エネルギーに変換するソーラーパネルとを備える。
【００２１】
この構成によれば、パネルの輝度（明るさ）を向上させて、かつ、消費電力を低減させることができる。
【００２２】
具体的には第１に、各発光ダイオードは面実装されているので、透明発光パネルの表示方向と各発光ダイオードの発光方向とがほぼ一致し、透明発光パネルを見る人の目には、発光ダイオードからの光は間接的ではなく直接目に届く。つまり、パネル自体の明るさ又は輝度に対してＬＥＤの発光光量のほぼ全部が寄与する。これにより、従来の照射式などの間接照明と比べて、発光光量の無駄を大きく低減することができ、より少ない消費電力で高い輝度を確保することができる。
【００２３】
第２に、複数の発光ダイオードが図柄に沿って面実装されるので、従来の面発光体と比べて、面全体ではなく、図柄の部分のみが発光するので、無駄な発光光量を大きく低減することができる。
【００２４】
また、本発明のソーラー一体型表示パネルシステムの製造方法は、面実装された複数の発光ダイオード、および、前記複数の発光ダイオードを電気的に接続する透明電極パターンを表面に有する透明発光パネルと、前記透明発光パネルの裏面に重ね合わされ、前記透明発光パネルを透過する入射光を電気エネルギーに変換するソーラーパネルとを有するソーラー一体型表示パネルシステムの製造方法であって、図柄を示す線画データを作成するステップと、前記線画データの示す図柄に沿って、前記透明発光パネル上の発光ダイオード配置位置と、前記発光ダイオードを接続するための透明電極パターン配置位置とを決定するステップと、前記線画データの示す図柄に沿って、当該図柄の色に対応する膜厚の保護膜パターンを前記ソーラーパネル上に形成するステップとを有する。
【発明の効果】
【００２５】
本発明のソーラー一体型表示パネルシステムによれば、パネルの輝度（明るさ）を向上させて、かつ、消費電力を低減させることができる。昼間に充電した電力を夜間に利用可能にし、維持コストを低減することができる。
【００２６】
また、図柄を極めて高精細に形成することができ、ソーラーパネル表面に色とりどりの図柄を形成することができる。また、図柄による遮光を抑え、図柄の存在によるソーラーパネルの発電効率の低下を最小限に押さえることができる。
【図面の簡単な説明】
【００２７】
【図１】実施の形態におけるソーラー一体型表示パネルシステムの構成を示す図である。
【図２】パネル部の断面図である。
【図３】透明発光パネルに形成された透明電極パターンおよび発光ダイオードを示す図である。
【図４】透明発光パネルの断面図である。
【図５】ソーラーパネルに形成された図柄の一例を示す図である。
【図６】ソーラーパネルのＡ−Ａ線の断面図である。
【図７】ソーラーパネルのＢ−Ｂ線の断面図である。
【図８】ソーラーパネルのＣ−Ｃ線の断面図である。
【図９】ソーラーパネルのＤ−Ｄ線の断面図である。
【図１０】ソーラーパネルのＥ−Ｅ線の断面図である。
【図１１】ソーラー一体型表示パネルシステムの構成を示すブロック図である。
【図１２】ソーラー一体型表示パネルシステムの製造方法を示すフローチャートである。
【図１３】ソーラー一体型表示パネルシステムの製造方法を示すフローチャートである。
【発明を実施するための形態】
【００２８】
本発明の実施の形態におけるソーラー一体型表示パネルシステムについて図面を用いて説明する。
【００２９】
図１は、本発明の実施の形態におけるソーラー一体型表示パネルシステムの構成を示す図である。同図のように、ソーラー一体型表示パネルシステム１は、ソーラー一体型表示パネル（以下、パネル部と呼ぶ）１０、制御部３００および蓄電池４００とを備える。パネル部１０は、ソーラーパネル１００、透明発光パネル２００、保護パネル６００、下部ハウジング５１０、および上部ハウジング５２０を備える。図１では、パネル部１０は分解図になっている。図２は、組み立て後のパネル部１０の断面図を示す。
【００３０】
本発明の実施の形態におけるソーラー一体型表示パネルシステムは、図１、図２に示す構成例のように、少なくとも透明発光パネル２００、ソーラーパネル１００、蓄電池４００および制御部３００を備える。
【００３１】
透明発光パネル２００は、図柄に沿って面実装された複数の発光ダイオード２３０と、複数の発光ダイオード２３０を電気的に接続する透明電極パターン２２０とを表面に有する。ここで、図柄は、例えば、文字、図形、模様、絵、イラスト、写真等のあらゆる図柄を含み、カラーでもモノクロでもよい。図１では文字列「ＫＯＲＥＡ」を図柄の一例として示している。
【００３２】
ソーラーパネル１００は、透明発光パネル２００の裏面に重ね合わされ、透明発光パネル２００を透過する入射光を電気エネルギーに変換する。図１のソーラーパネル１００は、面状に組み合わされた複数枚のソーラーモジュール１１０からなる構成例を示しているが、１枚のソーラーモジュール１１０からなる構成であってもよい。
【００３３】
蓄電池４００は、充放電可能な蓄電池４００である。
【００３４】
制御部３００は、ソーラーパネル１００と蓄電池４００との接続と、蓄電池４００と透明発光パネル（２００）との接続とを切り換える。例えば、制御部３００は、昼間にソーラーパネル１００と蓄電池４００との接続し、夜間に蓄電池４００と透明発光パネル（２００）とを接続する。これにより、昼間はソーラーパネル１００からの電気エネルギーを蓄電池４００に充電し、夜間は蓄電池４００から透明発光パネル２００に電力を供給して透明発光パネル２００を発光させる。
【００３５】
ソーラー一体型表示パネルシステム１をこのように構成とすることにより、パネル部１０の輝度、明るさを向上させて、かつ、電力消費効率を向上させるという効果がある。
【００３６】
より詳しく説明すると、第１に、各発光ダイオードは面実装されているので、透明発光パネルの表示方向と各発光ダイオードの発光方向とがほぼ一致し、透明発光パネルを見る人の目には、発光ダイオードからの光は間接的ではなく直接目に届く。つまり、パネル自体の明るさ又は輝度に対してＬＥＤの発光光量のほぼ全部が寄与する。これにより、従来の照射式などの間接照明と比べて、発光光量の無駄を大きく低減することができ、より少ない消費電力で高い輝度を確保することができる。
【００３７】
第２に、複数の発光ダイオードが図柄に沿って面実装されるので、従来の面発光体と比べて、面全体ではなく、図柄の部分のみが発光するので、無駄な発光光量を大きく低減することができる。
【００３８】
さらに、上記ソーラーパネル１００は、次のように構成すれば、昼も夜も同じ図柄を表示させることができ、昼夜を問わず広告、看板、案内板等としての訴求力を向上させることができるという効果を奏することができる。
【００３９】
ソーラーパネル１００は、その表面に形成された図柄（図１の例では文字列「ＫＯＲＥＡ」）を有し、透明発光パネル２００表面の複数の発光ダイオード２３０および前記透明電極パターン２２０は、前記ソーラーパネル１００の図柄に沿って配置される構成としてもよい。
【００４０】
この場合、上記の図柄は、図７に示すように保護膜１２０の膜厚の設定によって形成することができる。ソーラーパネル１００は、その表面に形成された保護膜１２０を有する。保護膜１２０のうち図柄に対応する部分（例えば保護膜１２０ａ等）の膜厚は、前記図柄に対応しない部分（保護膜１２０）の膜厚と異なっており、図柄の色に対応する光を反射するように形成されている。
【００４１】
次に、図２〜図５を用いて透明発光パネル２００について説明する。
【００４２】
図２に示すように、パネル部１０において、ソーラーパネル１００の受光面の上に透明発光パネル２００の裏面（発光ダイオードを有しない面）が配置される。ソーラーパネル１００と透明発光パネル２００は一体に重ね合わされる。
【００４３】
透明発光パネル２００の表面（ソーラーパネル１００の反対側）には、透明電極パターン２２０とＬＥＤ２３０が図柄に沿って配置される。
【００４４】
さらに、透明発光パネル２００の上には保護パネル６００が重ね合わされる。保護パネル６００はガラスや樹脂製である。
【００４５】
下部ハウジング５１０および上部ハウジング５２０は、ソーラーパネル１００、透明発光パネル２００、保護パネル６００を一体に支持する。ソーラーパネル１００と透明発光パネル２００は透明な接着剤により貼りあわせるようにしてもよい。同様に保護パネル６００と透明発光パネル２００も透明な接着剤により貼りあわせるようにしてもよい。下部ハウジング５１０とソーラーパネル１００と上部ハウジング５２０は接着剤により接着してもよい。
【００４６】
図３は、透明発光パネル２００上の図柄の構成を示す図である。同図は透明発光パネル２００上の図柄の一部「Ｋ」とその一部分の拡大図を示している。この例では、透明発光パネル２００上の図柄は、ソーラーパネル１００表面の図柄に相当するものとする。透明発光パネル２００上の図柄は、複数の発光ダイオード２３０の配置パターンにより描かれる。図３破線内の拡大図の例では、複数のＬＥＤ２３０を透明電極パターン２２０を介して直列に接続することにより図柄の一部を構成している。
【００４７】
図４は、発光ダイオード２３０の配置パターンの他の例を示す図である。図３の拡大図に示した配置の代わりに図４のように、発光ダイオードを並列接続と直列接続とを組み合わせて配置してもよい。
【００４８】
図５は、透明発光パネル２００の断面図である。同図のように、透明発光パネル２００は、透明パネル２１０と、透明パネル２１０の表面に形成された透明電極パターン２２０と、透明電極パターン２２０によって電気的に接続されるＬＥＤ２３０とを有する。
【００４９】
透明パネル２１０は、典型的にはガラス基板であるが、樹脂基板、透明シートでもよい。
【００５０】
透明電極パターン２２０は、例えばＩＴＯ（Indium Tin Oxide：酸化インジウムスズ）で形成される薄膜である。
【００５１】
ＬＥＤ２３０は、透明電極パターン２２０にはんだ付けされる２つの端子２３１（アノードとカソード）を有し、透明パネル２１０上に面実装される。ＬＥＤ２３０の主たる発光方向は、透明発光パネル２００の表面から垂直方向である。
【００５２】
さらに、図６〜図１１を用いてソーラーパネル１００について説明する。
【００５３】
図６は、ソーラーパネルに形成された図柄の一例を示す図である。同図では、図１と同じ文字列の図柄を例示している。ここでは、「ＫＯＲＥＡ」の各文字が異なる色を示すように構成した例を説明する。図７〜図１１は、図６のＡ−Ａ断面、・・・、Ｅ−Ｅ断面を示す断面図である。
【００５４】
ソーラーパネル１００は、その表面に形成された保護膜１２０を有する。この保護膜１２０は、例えば酸化シリコンの透明薄膜である。
【００５５】
保護膜の全面のうち図柄に対応する部分の保護膜１２０ａ〜１２０ｅの膜厚（ｔａ〜ｔｅ）は、図柄に対応しない部分の保護膜１２０の膜厚と異なっている。図柄に対応する部分の保護膜１２０ａ〜１２０ｅの膜厚は、それぞれ図柄の色に対応する光を反射するように設定されている。それぞれの膜厚（ｔａ〜ｔｅ）は、反射を所望する色の光の半波長（λ／２）の整数倍にすることにより決定できる。
【００５６】
このように、図柄の形状および色は、図柄の色に対応する膜厚を有する保護膜により形成することができる。図柄は、保護膜の一部分として、ソーラーパネルの製造プロセスにより任意の形状に形成できるので、極めて高精細に形成することができる。図柄に対応する保護膜により反射される色は、その膜厚に依存するので、ソーラーパネルパネルの製造プロセスにより色とりどりの図柄を実現することができる。
【００５７】
保護膜の全面のうち図柄に対応しない部分の保護膜１２０は、保護する機能だけでなく、入射光の反射をできるだけ防止する反射防止膜として形成される。
【００５８】
例えば、図柄のうち「Ｋ」と「Ｏ」に注目すると、図柄は、第１の色を表す第１図柄部分「ｋ」（保護膜１２０ａ）と、第１の色と異なる第２の色を表す第２図柄部分「Ｏ」（保護膜１２０ｂ）とを含む。第１の図柄部分「Ｋ」は、保護膜のうち、前記第１の色に対応する第１の膜厚ｔａを有する部分の保護膜１２０ｂにより形成される。第２の図柄部分「Ｏ」は、保護膜のうち第２の色に対応する第２の膜厚ｔｂを有する部分の保護膜１２０ｂにより形成される。
【００５９】
図１２は、ソーラー一体型表示パネルシステムの構成を示すブロック図である。同図では、図１の制御部３００の構成をより詳細に示している。制御部３００は、スイッチ３１０、切換制御部３１１、ＬＥＤ制御部３２０を備えている。
【００６０】
スイッチ３１０は、ソーラーパネル１００と蓄電池４００との接続と、蓄電池４００と透明発光パネル２００との接続とを切り換えるスイッチである。
【００６１】
切換制御部３１１は、スイッチ３１０の切り換えを制御する。例えば、切換制御部３１１は、内部に時計を有し、第１の時間帯では、ソーラーパネル１００と蓄電池４００とを接続するようスイッチ３１０を制御し、第２の時間帯では、蓄電池４００と透明発光パネル２００とを接続するようにスイッチ３１０を制御する。ここで、第１の時間帯は昼間、第２の時間帯は夜間等でよい。あるいは、切換制御部３１１は、内部に、明るさセンサーを有し、明るさがしきい値以上である期間は、ソーラーパネル１００と蓄電池４００とを接続するようスイッチ３１０を制御し、明るさがしきい値より小さい期間では、蓄電池４００と透明発光パネル２００とを接続するようにスイッチ３１０を制御するようにしてもよい。
【００６２】
ＬＥＤ制御部３２０は、スイッチ３１０がソーラーパネル１００と蓄電池４００とを接続しているときに、透明発光パネル２００の発光を制御する。例えば、ＬＥＤ制御部３２０は、全てのＬＥＤ２３０又は、関連するＬＥＤ２３０からなるグループ毎に発光態様（点灯、点滅または消灯）を制御する。
【００６３】
さらに、ソーラー一体型表示パネルシステムの製造方法について説明する。
【００６４】
図１３は、ソーラー一体型表示パネルシステムの製造方法を示すフローチャートである。
【００６５】
まず、作成者は、ソーラーパネル１００および透明発光パネル２００に描画すべき所望の図柄を示す線画データを作成する（Ｓ１１）。次に、線画データの示す図柄に沿って、透明パネル２１０上のＬＥＤ２３０の配置位置と、当該ＬＥＤ２３０を接続するための透明電極パターン２２０の形状とを決定し（Ｓ１２）、当該形状に対応するマスクを作成し、マスクを用いて透明パネル２１０上に透明電極パターン２２０を形成し（Ｓ１３）、透明パネル２１０上にＬＥＤ２３０を面実装する（Ｓ１４）ことにより透明発光パネル２００を製造する。
【００６６】
さらに、保護膜の形状と膜厚とを線画データの色毎に決定し（Ｓ１５）、決定した形状と膜厚を持つ保護膜をソーラーパネル上に形成する（Ｓ１６）ことにより、ソーラーパネル１００を製造する。
【００６７】
最後に、ソーラーパネル１００および透明発光パネル２００を含むパネル部１０（ソーラー一体型表示パネル）を組み立て（Ｓ１７）、さらに制御部３００および蓄電池４００を接続してソーラー一体型表示パネルシステムに組み立てる。
【００６８】
この製造方法によれば、１つの線画データを、ソーラーパネル１００、透明発光パネル２００に共通に適用することにより、ソーラーパネル１００と透明発光パネル２００の図柄を一致させることができる。
【００６９】
以上説明してきたように本実施の形態におけるソーラー一体型表示パネルシステムによれば、パネル部１０の輝度（明るさ）を向上させて、かつ、消費電力を低減させることができる。昼間に充電した電力を夜間に利用可能にし、維持コストを低減することができる。
【００７０】
また、ソーラーパネル１００の図柄を極めて高精細に形成することができ、ソーラーパネル表面に色とりどりの図柄を形成することができる。また、図柄による遮光を抑え、図柄の存在によるソーラーパネルの発電効率の低下を最小限に押さえることができる。
【００７１】
以下、本実施形態におけるソーラー一体型表示パネルシステム１の変形例について説明する。
【００７２】
（１）ソーラーパネル１００は、面状に組み合わされた複数枚のソーラーモジュール１１０からなる構成であってもよいし、１枚のソーラーモジュール１１０からなる構成であってもよい。
【００７３】
（２）ＬＥＤ制御部３２０は、ＬＥＤ２３０に直流電圧を常時印加することにより静的に発光させてもよいし、パルス状の直流電圧を印加することにより動的に発光させてもよい。動的に発光させる場合は、パルス幅やパルスの頻度を調整することにより、ＬＥＤ２３０の輝度を調整することができる。例えば、夜間の時間帯に応じて輝度を変更することが可能になる。
【００７４】
（３）ＬＥＤ２３０の発光色は、図柄の色と同じ色であってよいし、異なる色であってもよい。
【００７５】
（４）ＬＥＤ制御部３２０は、ＬＥＤ２３０発光色を動的に変化させるようにしてもよい。例えば、赤緑青の三原色に対応する３つのＬＥＤを発光単位とし、発光単位を図柄に沿って配置し、発光単位中の１つ以上のＬＥＤを選択的に発光させるようにすればよい。
【００７６】
（５）透明発光パネル２００表面の透明電極パターン２２０およびＬＥＤ２３０を含む層（発光層）を絶縁膜を介して複数形成してもよい。この場合、例えば、第１の発光層と第２の発光層とで異なる図柄または異なる色を持たせることができる。
【産業上の利用可能性】
【００７７】
本発明のソーラー一体型表示パネルシステムは、広告板、案内表示版、看板などのサインパネルに適している。
【符号の説明】
【００７８】
１  ソーラー一体型表示パネルシステム
１０  パネル部（ソーラー一体型表示パネル）
１００  ソーラーパネル
１１０  ソーラーモジュール
１２０  保護膜
１２０ａ〜１２０e  保護膜
２００  透明発光パネル
２１０  透明パネル
２２０  透明電極パターン
２３０  発光ダイオード（ＬＥＤ）
２３１  端子
３００  制御部
３１０  スイッチ
３１１  切換制御部
３２０  ＬＥＤ制御部
４００  蓄電池
５１０  下部ハウジング
５２０  上部ハウジング
６００  保護パネル
【要約】
【課題】パネルの明るさを向上させて、かつ、電力消費を低減させるソーラー一体型表示パネルシステムを提供する。
【解決手段】ソーラー一体型表示パネルシステムは、図柄に沿って面実装された複数の発光ダイオード２３０、および、前記複数の発光ダイオード２３０を電気的に接続する透明電極パターン２２０を表面に有する透明発光パネル２００と、透明発光パネル２００の裏面に重ね合わされ、前記透明発光パネル２００を透過する入射光を電気エネルギーに変換するソーラーパネル１００と、充放電可能な蓄電池４００と、ソーラーパネル１００と蓄電池４００との接続と、前記蓄電池４００と前記透明発光パネル２００との接続とを切り換える制御部３００とを備え、前記ソーラーパネルは、その表面に形成された図柄であって、前記複数の発光ダイオードが沿う図柄に相当する図柄を有する。
【選択図】図１【図１】
0004819971.tif 000002
【図２】
0004819971.tif 000003
【図３】
0004819971.tif 000004
【図４】
0004819971.tif 000005
【図５】
0004819971.tif 000006
【図６】
0004819971.tif 000007
【図７】
0004819971.tif 000008
【図８】
0004819971.tif 000009
【図９】
0004819971.tif 000010
【図１０】
0004819971.tif 000011
【図１１】
0004819971.tif 000012
【図１２】
0004819971.tif 000013
【図１３】
0004819971.tif 000014